(57)【特許請求の範囲】
【請求項１】
意図した視聴者のためにメディアコンテンツを提供する、コンピュータにより実行する方法であって、
前記メディアコンテンツに関連するセマンティック基準をユーザコンピュータ装置で提示されるグラフィカルユーザインタフェースを介してユーザに提供する段階と、
前記セマンティック基準の少なくとも一つを選択するユーザからの入力を受ける段階と、
それぞれが前記メディアコンテンツの不完全部分である複数のメディアセグメントを前記選択されたセマンティック基準に基づいて選択する段階と、
前記入力によりユーザに選択された前記セマンティック基準にしたがって、前記メディアコンテンツの少なくとも一つのバージョンを前記複数のメディアセグメントから組み合わせる段階と、
前記メディアコンテンツの少なくとも一つのバージョンのプレビューであって、前記グラフィカルユーザインタフェースを介して提示されるよう構成されているプレビューを送信する段階と、
前記プレビューの承認を前記ユーザコンピュータ装置から受ける段階と、
前記承認を受けたことに応じて、前記メディアコンテンツの少なくとも一つのバージョンを配信する段階と、
を含む方法。
【請求項２】
前記プレビューを第１のフォーマットで提示し、前記メディアコンテンツの少なくとも一つのバージョンを第２のフォーマットで配信する段階をさらに含む請求項１に記載の方法。
【請求項３】
前記メディアコンテンツの第１のバージョンを第１の配信ポイントに送信し、前記第１のバージョンとは異なる前記メディアコンテンツの第２のバージョンを第２の配信ポイントに送信する段階をさらに含む請求項１に記載の方法。
【請求項４】
意図した視聴者のためにメディアコンテンツを提供する、システムであって、
メディアコンテンツ管理アプリケーションを実行するよう構成されているプロセッサを備え、前記メディアコンテンツ管理アプリケーションによって、
前記メディアコンテンツに関連するセマンティック基準をユーザコンピュータ装置で提示されるグラフィカルユーザインタフェースを介してユーザに提供し、
前記セマンティック基準の少なくとも一つを選択するユーザからの入力を受け、
それぞれが前記メディアコンテンツの不完全部分である複数のメディアセグメントを前記選択されたセマンティック基準に基づいて選択し、
前記入力によりユーザに選択された前記セマンティック基準にしたがって、前記メディアコンテンツの少なくとも一つのバージョンを前記複数のメディアセグメントから組み合わせ、
前記メディアコンテンツの少なくとも一つのバージョンのプレビューであって、前記グラフィカルユーザインタフェースを介して提示されるよう構成されているプレビューを送信し、
前記プレビューの承認を前記ユーザコンピュータ装置から受け、
前記承認を受けたことに応じて、前記メディアコンテンツの少なくとも一つのバージョンを配信するように構成されている、システム。
【請求項５】
前記メディアコンテンツ管理アプリケーションによって、
前記プレビューを第１のフォーマットで提示し、前記メディアコンテンツの少なくとも一つのバージョンを第２のフォーマットで配信するように構成されている、請求項４に記載のシステム。
【請求項６】
前記メディアコンテンツ管理アプリケーションによって、
前記メディアコンテンツの第１のバージョンを第１の配信ポイントに送信し、前記第１のバージョンとは異なる前記メディアコンテンツの第２のバージョンを第２の配信ポイントに送信するように構成されている請求項４に記載のシステム。
【発明の詳細な説明】
【技術分野】
【０００１】
本発明は、メディア生成及び編集の分野に関し、より詳細には、セマンティック基準を使用してメディアコンテンツを生成し、カスタマイズし、そして配布するためのシステム及び方法に関する。
【背景技術】
【０００２】
メディアコンテンツは、そのコンテンツが、ターゲット視聴者によって見られ、聞かれ、又は他の仕方で受け取られるようにさせるという目標で生成される。ターゲット視聴者とは、例えば、全世界、単一国家、地域、都市、隣人、又は特定の個人である。しかしながら、所望のコンテンツを配布し、その所望のコンテンツを所望の視聴者に狙いを定めて配布することは、困難なプロセスである。どの消費者が特定のメディアコンテンツを受け取るかを制御することは困難であることが多い。その結果、コンテンツの配布者又は創作者は、希望とするものより広い又は狭いエリアへコンテンツを供給しなければならない。
【０００３】
例えば、市場取引者及び広告主は、ターゲット視聴者の購入習慣に関するパターン及びトレンドを確立するために人口統計学的解決策に依存するようになった。市場取引者及び広告主は、導出された情報を使用して、それらの市場に関する観測を生成し、個々人を異なる種類の商品に向け、そして広告のために適切なメディア購買を選択する。ビデオ広告メディア、例えば、メールされるビデオテープ、インターネットビデオストリーム、又は放送広告若しくはケーブル広告の場合には、広告のカスタマイズ版、又はターゲット視聴者に関して入手できる情報の利点を直接取り入れる直接的マーケッティング情報を生成するための手段は、限定されたものしかない。従って、たとえ会社が、ターゲット視聴者に関する膨大な量の情報を知っていても、この情報を活用する能力が放送メディアというファンダメンタルズにより制限されるので、同様のメッセージを全ての顧客に送信することが必要となる。
【０００４】
別の例では、市場取引者及び／又は広告主は、一般的広告キャンペーンを生成する。親会社が市場取引者及び広告主から一般的キャンペーンを購入するときには、その会社は、一般的に、キャンペーンを配布のためにそれらの現場オフィス（例えば、子会社組織）へ供給する。各現場オフィスは、通常、別の広告代理店を雇って、例えば、各々の市場に基づいて広告を変更する。広告を変更するこのプロセスは、費用がかかるだけでなく、変更された広告に含まれるメッセージが、親組織が希望する一般的キャンペーンとは趣旨が変わることがある。更に、行なわれる変更は、異なる現場オフィスにより別々に、従って、冗長になされることがある。これは、コンテンツを生成しそして配布する高価で非有効的な方法である。
【発明の開示】
【発明が解決しようとする課題】
【０００５】
従って、従来のシステムのこれら及び他の欠点を克服するコンテンツ管理管理のためのシステム及び方法が要望されている。
【課題を解決するための手段】
【０００６】
本発明によれば、メディアコンテンツを生成し、カスタマイズし、及び／又は配布するためのシステム及び方法が提供される。一般的に、ユーザがメディアコンテンツの編集を管理し、そしてセマンティック基準及び他の事柄に基づいてメディアコンテンツに関して判断を行なえるようにするシステム及び方法が提供される。
【０００７】
一般的に述べると、本発明は、ユーザ（例えば、広告主、市場取引者、現場オフィス、親会社の子会社、ケーブルテレビ事業者、等）に、特定のメタデータ特性（例えば、男性、女性、未知の性別、郵便番号、乗物の種類、年齢、人種、等）を関連付けたセマンティック基準を、メディアコンテンツ管理アプリケーションに与えることを可能とする。例えば、セマンティック基準及び／又はメタデータ特性は、メディアコンテンツに対して意図される視聴者に関するものとすることができる。これに応じて、アプリケーションは、メタデータ特性を抽出し、そして必要な機能を遂行して、メディアコンテンツの一又はそれ以上のバージョン（例えば、広告）を生成する。メディアコンテンツのこの一又はそれ以上のバージョンがユーザに与えられる。これは、プロ用編集／統合(assembly)ソフトウェア、例えば、アビッド・テクノロジー・インクにより開発された編集ソフトウェア、アップル・コンピュータ・インクにより開発された「ファイナル・カット・プロ」、ビジブル・ワールドにより開発されたｉｎｔｅｌｌｉＳｐｏｔ、又は他の統合ソフトウェア、等の知識を持たないユーザにより遂行することができる。即ち、セマンティック基準及び／又はメタデータ特性が与えられるのに応じて、メディアコンテンツ管理アプリケーションは、これらプロ用編集／統合ソフトウェア又はソフトウェアパッケージの一又はそれ以上を使用し、或いはこれらプロ用編集／統合ソフトウェア又はソフトウェアパッケージ或いは他のソフトウェアの知識をもつ別のユーザ（例えば、「ビジブルワールド」従業員）へ情報を送信して、メタデータ特性に対応するメディアコンテンツの一又はそれ以上のバージョンを生成することができる。
【０００８】
プロ用編集／統合ソフトウェアは、ユーザが、ソフトウェアの編集ツールセット及びメディアコンテンツの詳細に精通し、例えば、編集ポイント、メディアセグメントのシーケンス、どのようにオーディオセグメントがビデオセグメントに結合されるか、どのようにバックグランドオーディオトラックがビデオセグメントに結合されるか、どのメディアセグメントがカスタマイズされ及び／又は交換されるか、及びメディアコンテンツに関係した任意の他の適当な詳細、に精通することを必要とする。更に、プロ用編集／統合ソフトウェアは、ユーザが、編集／統合ソフトウェアによりコールされたデータベース構造を知り、或いはどのメタデータがどのようにオーディオセグメント、ビデオセグメント、又は任意の他の適当なメディアセグメントに結合されたか知ることを必要とする。メディアコンテンツ管理アプリケーションは、プロ用編集／統合ソフトウェアパッケージのこれらの困難さを回避する。というのは、セマンティック制御又はセマンティック基準の形態の抽象概念(abstraction)がユーザに与えられるからである。セマンティック制御に応じて、セマンティック制御は、これらプロ用編集／統合ソフトウェアパッケージの１つにより遂行される機能へ変換される。従って、メディアコンテンツ管理アプリケーションのユーザは、プロ用編集／統合ソフトウェアパッケージの知識、又はメディアコンテンツ（例えば、広告）をどのように統合する(put together)かの知識をもつ必要がない。更に、メディアコンテンツ管理アプリケーションのユーザは、プロ用編集／統合ソフトウェアパッケージによりアクセスされるデータベースの構造の知識、又はデータベースに記憶されたメディアセグメントにどのメタデータがどのように関連付けられるかの知識をもつ必要もない。
【０００９】
更に、メディアコンテンツ管理アプリケーションは、ユーザ（例えば、広告主）に、メディアプランニング及びプレースメント(placement)、動的処理、制作、及び後制作(post-production)の知識をもたずに、メディアコンテンツのバージョンを生成することを可能とする。
【００１０】
ユーザ及び／又はメディアコンテンツ管理アプリケーションは、メディアコンテンツのバージョンを統合する(assemble)データベース又は特殊目的データベースを有する必要がないことに注意されたい。メディアコンテンツ管理アプリケーションは、編集／統合ソフトウェアを使用して、適当なメディアセグメント（例えば、オーディオの部分、ビデオの部分、バックグランドオーディオ、ナレーション、イメージ、アニメーション、グラフィック、等）を伴うメディアコンテンツのバージョンを生成し、そしてそのメディアコンテンツのバージョンを、特殊目的データベース（例えば、ユーザの要望していないメディアセグメントを含む複数のメディアセグメントを伴うオブジェクト指向のデータベース）を有し、及び／又は維持する必要なく、ユーザに与えることにより、これらの困難さを回避する。セマンティック基準及び／又はメタデータ特性に関係するメディアセグメントを使用して、メディアコンテンツのバージョンを生成する。
【００１１】
このアプリケーションを使用して、ユーザは、メディアコンテンツの完成バージョンを注文し、受け取ることができる。完成バージョンは、任意の適当なメディア（例えば、ビデオテープ、ＤＶＤ、ＣＤ、ＭＰＥＧ−２フォーマット、ＭＰＥＧ−４フォーマット、標準解像度フォーマット、高解像度フォーマット、メディアフォーマット、メディア解像度、ダウンロード、等）において配信ポイントへ送出される。
【００１２】
いくつかの実施形態では、メディアコンテンツ管理アプリケーションは、メディアコンテンツのバージョンを調整するための追加のセマンティック基準をユーザに与えることができる。
【００１３】
いくつかの実施形態では、メディアコンテンツ管理アプリケーションは、メディアコンテンツのバージョンを配信ポイントへ送出することができる。
【００１４】
いくつかの実施形態では、メディアコンテンツ管理アプリケーションは、メディアコンテンツのバージョンを特定の配信フォーマットで送信することができる。
【００１５】
いくつかの実施形態では、メディアコンテンツ管理アプリケーションは、メディアコンテンツのバージョンの費用を最適化することができる。いくつかの実施形態では、メディアコンテンツ管理アプリケーションは、メディアコンテンツの各バージョンにセマンティック基準を付し、ユーザに、メディアコンテンツのバージョンの費用を管理することを可能とすることができる。この付されたセマンティック基準に基づいてメディアコンテンツの各バージョンに関連付けられた費用が、ユーザに与えられることができる。次いで、ユーザは、メディアコンテンツの各バージョンに関連付けられた費用に少なくとも一部分基づいてメディアコンテンツの複数のバージョンの１つを選択することができる。
【００１６】
いくつかの実施形態では、付されたセマンティック基準は、「映画俳優組合(Screen Actors Guild)」との契約条件、タレントとの補償契約、メディアコンテンツに対する媒体の費用、俳優の費用、メディアコンテンツのバージョンを統合するに必要な週の数、撮影中(on-camera)の出演者の費用、撮影外(off-camera)の出演者の費用、エキストラの費用、ナレーターの費用、音楽家の費用、音楽の費用、配信費用、制作含意(implications)、タレント含意、及び配信含意、の一又はそれ以上である。
【００１７】
いくつかの実施形態では、付されたセマンティック基準を使用して、メディアコンテンツの複数のバージョンの１つをユーザに推奨する（例えば、費用に基づいて）。
【００１８】
いくつかの実施形態では、メディアコンテンツ管理アプリケーションは、選択されたセマンティック基準を使用して決定された配信フォーマットを含む複数の配信オプションをユーザに与えることができる。
【００１９】
いくつかの実施形態では、配信フォーマットは、ビデオテープ、ＤＶＤ、ＣＤ、高解像度フォーマット、標準解像度フォーマット、ＭＰＥＧ−２フォーマット、ＭＰＥＧ−４フォーマット、メディアフォーマット、及びメディア解像度の１つである。
【００２０】
いくつかの実施形態では、メディアコンテンツ管理アプリケーションは、セマンティック基準を使用して、配信フォーマットをユーザへ推奨する。
【００２１】
いくつかの実施形態では、メディアコンテンツ管理アプリケーションは、セマンティック基準を使用して、ユーザに対して、複数の配信フォーマットから少なくとも１つの配信フォーマットを選別する。
【００２２】
いくつかの実施形態では、メディアコンテンツ管理アプリケーションは、ユーザに、メディアコンテンツの少なくとも１つのバージョンに対して、複数の配信フォーマットから少なくとも１つの配信フォーマットを選択することを可能とすることができる。
【００２３】
いくつかの実施形態では、メディアコンテンツ管理アプリケーションは、ユーザに、メディアコンテンツのバージョンに対して、複数の配信ポイントから少なくとも１つの配信ポイントを選択することを可能とする。
【００２４】
いくつかの実施形態では、少なくとも１つの配信ポイントは、特定の市場、放送局、系列局、企業、ケーブル相互接続、ヘッドエンド、ケーブルテレビ事業者、及び個人の１つである。
【００２５】
いくつかの実施形態では、メディアコンテンツ管理アプリケーションは、セマンティック基準を使用して、少なくとも１つの配信ポイントをユーザに推奨する。
【００２６】
いくつかの実施形態では、メディアコンテンツ管理アプリケーションは、セマンティック基準を使用して、複数の配信ポイントから少なくとも１つの配信ポイントを選別する。
【００２７】
このように、以下の本発明の詳細な説明が良く理解できるように、そしてこの技術に対する本発明の貢献が良く分かるように、本発明のより重要な特徴を大まかに概説した。もちろん、添付の特許請求の範囲の主題を形成する本発明の付加的な特徴も以下に説明する。
【００２８】
この点に関して、本発明の少なくとも１つの実施形態を詳細に説明する前に、本発明は、その適用において、以下の説明において述べられ、又は図面に図示される構造の細部及び構成要素の配列に限定されないことを理解されたい。本発明は、他の実施も可能であり、種々の仕方で実施することができる。又、ここに使用する表現や用語は、説明上のもので、これに限定されないことも理解されたい。
【００２９】
従って、当業者であれば、本開示の基礎となる概念を、本発明の種々の目的を果たすための他の構造、方法及びシステムの設計の基礎として、容易に利用できることが明らかであろう。それ故、特許請求の範囲は、このような等価な構造を、それが本発明の精神及び範囲から逸脱しない限り、包含するものと考えることが重要である。
【００３０】
本発明のこれらの目的、他の目的、並びに本発明を特徴付ける種々の新規な特徴は、本開示に添付され、本開示の一部分を形成する特許請求の範囲において詳細に指摘される。本発明、本発明の動作の利点、及び本発明の利用により達成される特定の目的を良く理解するために、本発明の好ましい実施形態が例示された添付図面及び記載事項が参照されるべきである。
【図面の簡単な説明】
【００３１】
【図１】本発明のいくつかの実施形態によりメディアコンテンツ管理アプリケーションが実施されるメディアコンテンツ管理システムを示す概略図である。
【図２】例えば図１において、本発明のいくつかの実施形態により提供されるワークステーション及びサーバーを例示する概略図である。
【図３】本発明のいくつかの実施形態により提供されるホーム画面を示す図である。
【図４】本発明のいくつかの実施形態により提供されるメディアコンテンツをカスタマイズし編集するオプションを有するカスタマイズ画面を例示する図である。
【図５】本発明のいくつかの実施形態により提供されるメッセージテンプレートを例示する図である。
【図６】本発明のいくつかの実施形態により提供されるメディアデータベースのコンテンツの概略図である。
【図７】本発明のいくつかの実施形態により提供されるプランニング画面を例示する図である。
【図８】本発明のいくつかの実施形態により提供されるメディアコンテンツの一又はそれ以上のバージョンを更にカスタマイズするオプションを有する承認画面を例示する図である。
【図９】本発明のいくつかの実施形態により提供されるメディアコンテンツの一又はそれ以上のバージョンを更にカスタマイズするオプションを有する承認画面を例示する図である。
【図１０】本発明のいくつかの実施形態により提供されるメディアコンテンツの一又はそれ以上のバージョンを更にカスタマイズするオプションを有する承認画面を例示する図である。
【図１１】本発明のいくつかの実施形態により提供されるメディアコンテンツの統合、制作、及び配信を注文する画面を例示する図である。
【図１２】本発明のいくつかの実施形態により提供されるメディアコンテンツの統合、制作、及び配信を注文する画面を例示する図である。
【図１３】本発明のいくつかの実施形態により提供されるメディアコンテンツの統合、制作、及び配信を注文する画面を例示する図である。
【図１４】本発明のいくつかの実施形態により提供される、メディアコンテンツの統合、制作、及び配信を注文する画面を例示する図である。
【発明を実施するための形態】
【００３２】
本出願は、２００５年６月８日に出願された米国仮特許出願第６０／６８６，６１２号の利益を主張し、その内容全体を引用によりここに組み入れる。
【００３３】
本発明の種々の目的、特徴及び利点は、以下の本発明の詳細な説明を、同様の要素が同様の参照番号で特定された以下の図面に関連して参照して、十分に明らかにされるであろう。
【００３４】
以下の説明は、多数の特定の詳細を含む。このような詳細を含ませるのは、例示のために過ぎず、本発明を限定するものではないことを理解されたい。更に、当技術分野において良く知られた幾つかの特徴は、本発明の要旨を複雑にしないために、詳細に説明しない。更に、一実施形態における特徴は、本発明の他の実施形態における特徴と結合できることを理解されたい。
【００３５】
本発明によれば、メディアコンテンツを生成し、カスタマイズし、及び／又は配布するシステム及び方法（以下、「メディアコンテンツ管理アプリケーション」又は「アプリケーション」）が提供される。より詳細には、ユーザがメディアコンテンツの編集を管理し、そしてメディアコンテンツに関する判断をセマンティック基準及び他の事柄に基づいて行うことのできるシステム及び方法が提供される。
【００３６】
一般的に述べると、本発明によって、ユーザ（例えば、広告主、市場取引者、現場オフィス、親会社の子会社、ケーブルテレビ事業者、等）が、特定のメタデータ特性（例えば、男性、女性、未知の性別、郵便番号、乗物の種類、年齢、人種、等）を関連付けたセマンティック基準をアプリケーションに与えることができる。例えば、セマンティック基準及び／又はメタデータ特性は、メディアコンテンツに対して意図された視聴者に関する。これに応じて、アプリケーションは、メタデータ特性を抽出し、そして必要な機能機能を実行して、一又はそれ以上のバージョンのメディアコンテンツ（例えば、広告）を生成する。この一又はそれ以上のバージョンのメディアコンテンツがユーザに与えられる。これは、プロ用編集／統合ソフトウェア、例えば、アビッド・テクノロジー・インクにより開発された編集ソフトウェア、アップル・コンピュータ・インクにより開発された「ファイナル・カット・プロ」、ビジブル・ワールドにより開発されたｉｎｔｅｌｌｉＳｐｏｔ又は他の統合ソフトウェア、等の知識を持たないユーザにより遂行されることができる。即ち、セマンティック基準及び／又はメタデータ特性を与えるのに応じて、メディアコンテンツ管理アプリケーションは、これらプロ用編集／統合ソフトウェア又はソフトウェアパッケージの一又はそれ以上を使用し、或いはこれらプロ用編集／統合ソフトウェア又はソフトウェアパッケージの知識をもつ別のユーザへ情報を送信して、メタデータ特性に対応するメディアコンテンツ一又はそれ以上の一又はそれ以上のバージョンを生成することができる。
【００３７】
プロ用編集／統合ソフトウェアは、ユーザが、ソフトウェアの編集ツール及びメディアコンテンツの詳細に精通し、例えば、編集ポイント、メディアセグメントのシーケンス、どのようにオーディオセグメントがビデオセグメントに結合されるか、どのようにバックグランドオーディオトラックがビデオセグメントに結合されるか、どのメディアセグメントがカスタマイズされ及び／又は交換されるか、及びメディアコンテンツに関係した他の適当な詳細、に精通することを必要とする。更に、プロ用編集／統合ソフトウェアは、ユーザが、編集／統合ソフトウェアによりコールされたデータベース構造を知り、或いはどのメタデータがどのようにオーディオセグメント、ビデオセグメント、又は他の適当なメディアセグメントに結合されたか知ることを必要とする。メディアコンテンツ管理アプリケーションは、プロ用編集／統合ソフトウェアパッケージのこれらの困難さを回避する。というのは、セマンティック制御又はセマンティック基準の形態の抽象概念がユーザに与えられるからである。セマンティック制御に応じて、セマンティック制御は、これらプロ用編集／統合ソフトウェアパッケージの１つにより遂行される機能へ変換される。従って、メディアコンテンツ管理アプリケーションのユーザは、プロ用編集／統合ソフトウェアパッケージの知識、又はメディアコンテンツ（例えば、広告）をどのように統合するかの知識をもつ必要がない。更に、メディアコンテンツ管理アプリケーションのユーザは、プロ用編集／統合ソフトウェアパッケージによりアクセスされるデータベースの構造の知識、又はデータベースに記憶されたメディアセグメントにどのメタデータがどのように関連付けられるかの知識をもつ必要もない。
【００３８】
更に、メディアコンテンツ管理アプリケーションは、ユーザ（例えば、広告主）に、メディアプランニング及びプレースメント(placement)、動的処理、制作、並びに後制作の知識をもたずに、メディアコンテンツのバージョンを生成することを可能とする。
【００３９】
ユーザは、メディアコンテンツの一又はそれ以上のバージョンを生成するのに必要な全所要メタデータ特性を入力しなくてもよいことに注意されたい。例えば、ユーザは、意図された視聴者が郵便番号“１００２０”に住んでいることを入力することができる。これに応じて、メディアコンテンツ管理アプリケーションは、郵便番号“１００２０”の意図された視聴者に関する他の情報をユーザが知っていることを要求しないものとすることができる。メディアコンテンツ管理アプリケーションは、別のエンティティ、データベース、又は他の適当なソースから、意図された視聴者に対応するメタデータ特性を得ることができる。例えば、メディアコンテンツ管理アプリケーションは、入力された郵便番号“１００２０”から、意図された視聴者が、６０％が男性、４０％が女性であり、８０％が＄１００，０００より高い収入レベルを有し、そして６０％がコーカサス人であることを抽出する。
【００４０】
又、ユーザは、メディアコンテンツのバージョンを統合するデータベース又は特殊目的データベースを有する必要がないことにも注意されたい。メディアコンテンツ管理アプリケーションは、編集／統合ソフトウェアを使用して、適当なメディアセグメント（例えば、オーディオの部分、ビデオの部分、バックグランドオーディオ、ナレーション、イメージ、アニメーション、グラフィック、等）を伴うメディアコンテンツのバージョンを生成し、そしてそれを、特殊目的データベース（例えば、ユーザが望まないメディアセグメントを含む複数のメディアセグメントを伴うオブジェクト指向のデータベース）を有し、及び／又は維持する必要なく、ユーザに与えることにより、これらの困難さを回避する。セマンティック基準及び／又はメタデータ特性に関係するメディアセグメントを使用して、メディアコンテンツのバージョンを生成する。
【００４１】
このアプリケーションを使用して、ユーザは、メディアコンテンツの完成バージョンを注文し、受け取ることができる。完成バージョンは、適当なメディア（例えば、ビデオテープ、ＤＶＤ、ＭＰＥＧ−２、ＭＰＥＧ−４、標準解像解像度、高解像解像度、ダウンロード、等）において配信ポイントへ送出される。
【００４２】
以下の図１ないし１４及びそれらに付随する説明により、本発明のシステム及び方法の実施例が提供される。
【００４３】
図１は、本発明のいくつかの実施形態によりメディアコンテンツ管理アプリケーションが実装されるメディアコンテンツ管理システム１００を例示する一般化された概略図である。図示されたように、このシステム１００は、一又はそれ以上のワークステーション１０２を備えている。これらワークステーション１０２は、互いにローカルであってもよいし、互いにリモートであってもよい。ワークステーション１０２は、一又はそれ以上の通信リンク１０４により通信ネットワーク１０６に接続され、この通信ネットワークは、通信リンク１０８によりサーバー１１０にリンクされる。
【００４４】
システム１００は、一又はそれ以上のサーバー１１０を備える。サーバー１１０は、メディアコンテンツ管理アプリケーションへアクセスを与える任意の適当なサーバーとすることができ、例えば、プロセッサ、コンピュータ、データ処理装置、又はこのような装置の組み合せとすることができる。通信ネットワーク１０６は、インターネット、イントラネット、ワイドエリアネットワーク（ＷＡＮ）、ローカルエリアネットワーク（ＬＡＮ）、ワイヤレスネットワーク、デジタル加入者ライン（ＤＳＬ）ネットワーク、フレームリレーネットワーク、非同期転送モード（ＡＴＭ）ネットワーク、バーチャルプライベートネットワーク（ＶＰＮ）、又はそれらネットワークの組み合せを含む任意の適当なコンピュータネットワークとすることができる。通信リンク１０４及び１０８は、ワークステーション１０２とサーバー１１０との間でデータを通信するのに適した任意の通信リンク、例えば、ネットワークリンク、ダイヤルアップリンク、ワイヤレスリンク、ハードワイヤードリンク、他の適当な通信リンク、又はそのようなリンクの組み合せとすることができる。。ワークステーション１０２は、ユーザが、メディアコンテンツ管理アプリケーションの機能にアクセスできるようにする。ワークステーション１０２は、パーソナルコンピュータ、ラップトップコンピュータ、メインフレームコンピュータ、ダムターミナル、データディスプレイ、インターネットブラウザ、パーソナルデジタルアシスタント（ＰＤＡ）、２方向ページャー、ワイヤレスターミナル、ポータブル電話、他の適当なアクセス装置、又はそれら装置の任意の組み合せとすることができる。ワークステーション１０２及びサーバー１１０は、任意の適当な位置に配置することができる。一実施形態では、ワークステーション１０２及びサーバー１１０は、ある組織内に配置される。或いは又、ワークステーション１０２及びサーバー１１０は、多数の組織間に分散されてもよい。
【００４５】
図１に示されたサーバー及び１つのワークステーションが図２に詳細に示される。図２を参照すれば、ワークステーション１０２は、プロセッサ２０２、ディスプレイ２０４、入力装置２０６、及びメモリ２０８を備え、これらは相互接続される。好ましい実施形態では、メモリ２０８は、プロセッサ２０２を制御するためのワークステーションプログラムを記憶する記憶装置を含む。
【００４６】
プロセッサ２０２は、ワークステーションプログラムを使用して、ディスプレイ２０４に、通信リンク１０４を経て受け取ったアプリケーション及びデータと、ワークステーション１０２のユーザによって送信されたコマンド及び値とを示すことができる。又、通信リンク１０４又は任意の他の通信リンクを経て受け取られるデータは、ウェブサービスのような適当なソースから受け取られてもよいことに注意されたい。入力装置２０６は、コンピュータキーボード、カーソル−コントローラ、ダイヤル、スイッチバンク(switchbank)、レバー、或いは入力システム又はプロセス制御システムの設計者により使用される他の適当な入力装置でよい。
【００４７】
サーバー１１０は、プロセッサ２２０、ディスプレイ２２２、入力装置２２４、及びメモリ２２６を備え、これらは相互接続されることができる。好ましい実施形態では、メモリ２２６は、通信リンク１０８又は他のリンクを経て受け取られるデータを記憶するための記憶装置を含み、又、一又はそれ以上のユーザにより送信されるコマンド及び値も受け取る。記憶装置は、更に、プロセッサ２２０を制御するためのサーバープログラムも含む。
【００４８】
いくつかの実施形態では、メディアコンテンツ管理アプリケーションは、アプリケーションプログラムインターフェイス（図示せず）を含んでもよいし、或いはワークステーション１０２又はサーバー１１０に常駐されてもよい。別の適当な実施形態では、ワークステーション１０２への唯一の配布が、ユーザが、例えば、サーバー１１０に常駐されたメディアコンテンツ管理アプリケーションと対話できるようにするグラフィックユーザインターフェイス（ＧＵＩ）である。
【００４９】
１つの特定の実施形態では、メディアコンテンツ管理アプリケーションは、クライアント側ソフトウェア、ハードウェア、又はその両方を含む。例えば、アプリケーションは、一又はそれ以上のウェブページ又はウェブページ部分を包含する（例えば、ハイパーテキストマークアップ言語（ＨＴＭＬ）、ダイナミックハイパーテキストマークアップ言語（ＤＨＴＭＬ）、拡張可能なマークアップ言語（ＸＭＬ）、Ｊａｖａ（登録商標）サーバーページ（ＪＳＰ）、アクティブサーバーページ（ＡＳＰ）、Ｃｏｌｄ Ｆｕｓｉｏｎのような任意の適当なエンコーディング、又は任意の他の適当な手法を経て）。
【００５０】
メディアコンテンツ管理アプリケーションは、ここでは、ワークステーション及び／又はサーバーにおいて実装されるとして説明するが、これは、単なる例示に過ぎない。アプリケーションは、このような機能を提供するように任意の適当なプラットホーム（例えば、パーソナルコンピュータ（ＰＣ）、メインフレームコンピュータ、ダムターミナル、データディスプレイ、２方向ページャー、ワイヤレスターミナル、ポータブル電話、ポータブルコンピュータ、パームトップコンピュータ、Ｈ／ＰＣ、自動車用ＰＣ、ラップトップコンピュータ、携帯情報端末（ＰＤＡ）、携帯電話とＰＤＡの複合機等）上に実装されてもよい。
【００５１】
又、ここに述べる詳細な説明は、コンピュータ又はコンピュータのネットワークで実行されるプログラム手順の観点から提示されることも理解されたい。これら手順の説明及び表現は、当業者が自身の制作物の実体を他の当業者に最も効率的に伝えるために使用する手段である。
【００５２】
手順とは、ここでは、一般的に、所望の結果をもたらす、ステップの自己無撞着シーケンスであると考えられる。これらのステップは、物理量の物理的操作を必要とするものである。通常、必ずしもそうでないが、これらの量は、記憶、転送、結合、比較及びその他の方法で操作されることのできる、電気信号又は磁気信号の形態をとる。時々、主として通常使用の理由で、これらの信号をビット、値、エレメント、記号、キャラクタ、用語、数字、等と呼ぶことが便利であることが分っている。しかしながら、これら及び同様の用語は、全て、適当な物理量に関連付けられるべきもので、且つこれらの量に適用される単なる便利な表現に過ぎないことに注意されたい。
【００５３】
更に、行なわれる操作は、一般に人間のオペレータにより遂行される頭脳活動の演算に関連付けられる加算又は比較のような用語で呼ばれる。本発明の部分を形成する、ここに述べるいずれの演算においても、人間のオペレータのこのような能力はほとんどの場合に必要とされず、又、望まれない。即ち、演算は、機械演算である。本発明の演算を遂行するための有用な機械は、汎用デジタルコンピュータ又は同様の装置を含む。
【００５４】
又、本発明は、これらの演算を遂行するための装置にも関する。この装置は、要求される目的に対して特別に構成されてもよいし、又はコンピュータに記憶されたコンピュータプログラムにより選択的にアクティベートされ又は再構成される汎用コンピュータを含んでもよい。ここに示す手順は、特定のコンピュータ又は他の装置に固有に関係していない。種々の汎用マシンを、ここに示す教示に基づいて書かれたプログラムで使用してもよいし、或いは必要な方法ステップを遂行するように、より特殊な装置を構成するのがより便利であることが示される。種々様々なこれらマシンに必要な構造は、与えられた説明から明らかとなろう。
【００５５】
本発明によるシステムは、汎用コンピュータを備えてもよいし、特別にプログラムされた特殊目的のコンピュータを備えてもよい。ユーザは、例えば、パーソナルコンピュータ、ＰＤＡ、インターネット、イントラネット等を経てシステムと対話することができる。これらは、いずれも、単一コンピュータではなく分散型コンピュータシステムとして実施されてもよい。同様に、通信リンクは、専用リンクでもよいし、モデム・オーバー・ＰＯＴＳラインでもよいし、インターネットでもよいし、及び／又は、コンピュータ及び／又はユーザ間で通信する任意の他の方法でもよい。更に、処理は、一又はそれ以上のコンピュータシステム又はプロセッサにおいてソフトウェアプログラムで制御することもできるし、或いはハードウェアで部分的に又は全体的に実施されてもよい。
【００５６】
単一のコンピュータを使用できるが、本発明の一又はそれ以上の実施形態によるシステムは、複数のプロセッサ又は記憶装置或いはそれらの組み合せを適宜装備するのも任意である。例えば、コンピュータは、本発明の実施形態の概念に基づいて動作する適当な処理システムに置き換えられてもよいし、又はそれと組み合わされてもよく、これは、精巧な計算器、ハンドヘルド、ラップトップ／ノートブック、ミニ、メインフレーム及びスーパーコンピュータ、並びにそれらの処理システムネットワーク組み合せを含む。更に、システムの一部分は、適当な電子的な形式で設けられてもよく、例えば、電子信号として通信ラインを経て供給されてもよいし、ＣＤ及び／又はＤＶＤに設けられてもよいし、光学ディスクメモリに設けられてもよいし、等々である。
【００５７】
本発明のこのような実施形態には、現在入手できる又は将来開発されるコンピュータソフトウェア言語及び／又はハードウェアコンポーネントを使用することができる。例えば、上述した機能の少なくとも幾つかは、使用するプロセッサの観点で適したビジュアルベーシック、Ｃ、Ｃ＋＋、又はアセンブリ言語を使用して実施することができる。それは又、Ｊａｖａ（登録商標）のようなオブジェクト指向及び／又は解釈環境で書き、種々のユーザに対して複数の行先へ到達することができる。
【００５８】
ここで図３を参照すると、本発明のいくつかのいくつかの実施形態により提供される例示的なホーム画面３００が表示されている。メディアコンテンツ管理アプリケーションは、セマンティック基準を使用してメディアコンテンツを効率的に且つ便利に生成し、カスタマイズし、及び／又は配布する能力をユーザに与えるように設計される。これは、例えば、ユーザがメディアコンテンツに関する情報（例えば、どのメディアセグメントが利用できるか、どのメディアセグメントが新規であるか、在庫情報、販売情報、販売結果、値引情報、使用可能なテンプレート等）をブラウジングできるようにすることを含む。
【００５９】
図３に示すように、画面３００は、自動車に関するメディアコンテンツ（例えば、自動車のコマーシャル）を生成し、カスタマイズし、及び／又は配布することに関する。しかしながら、メディアコンテンツは、他の適当な主題、例えば、旅行、電子機器、政治的キャンペーン等に関するものでもよい。
【００６０】
画面３００は、キャンペーン、キャンペーンテンプレート（例えば、複数の乗物の３０秒コマーシャルのためのキャンペーンテンプレート）、在庫（例えば、新たに納車される車両及び北東部における割り当て）、販売量（例えば、２００４年の第３四半期の販売結果、この年の今日までの販売結果、年間販売レポート、等）、値引（例えば、１０月及び１１月の値引、年末値引、リース用値引、等）、及び更新されたメディアコンテンツ（例えば、使用可能な新たなキャンペーンテンプレート、選択のための新たなメディアコンテンツ、等）に関する情報を含む。
【００６１】
図示されたように、図３の画面３００は、コンピュータディスプレイ（例えば、図１及び２のワークステーション１０２のディスプレイ２０４、又はサーバー１１０のディスプレイ２２２）上に提供されるように設計される。しかしながら、以下に述べる画面のフォーマット及びコンテンツは、必要に応じて、異なるプラットホームを受け容れるように変更できることに注意されたい。又、以下に述べる画面の幾つか、全部、又はその代替物を、本発明によるメディアコンテンツ管理アプリケーションのユーザに対して提供してもよいことに注意されたい。
【００６２】
メディアコンテンツ管理アプリケーションは、メディアコンテンツを生成し、カスタマイズし、及び／又は配布するために、広告主、市場取引者、現場オフィスのユーザ、親会社のユーザ、親会社の子会社のユーザ、及びケーブルテレビ事業者のユーザを含む（これに限定されないが）種々のユーザによりアクセスすることができる。いくつかの実施形態では、メディアコンテンツ管理アプリケーションは、これらユーザの各々に異なる機能を与えることができる。例えば、広告主は、コマーシャルスポット(commercial spot)の種々のバージョンを生成することが許され、一方、現場オフィスのユーザは、一又はそれ以上のコマーシャルスポットに対してある程度の変更を行うことしか許されない。このような実施例では、広告主により生成されるコマーシャルスポットは、他のユーザによりカスタマイズされてもよいが、全体的なメッセージが変化しない仕方で行なわれる。或いは又、あるユーザ（例えば、広告主又は市場取引者）がメディアコンテンツを生成し及び／又はカスタマイズすることが許され、一方、他のユーザ（例えば、現場オフィスのユーザ）がメディアコンテンツを購入し又は受け取ることが許されてもよい。
【００６３】
メディアコンテンツ管理アプリケーションは、メディアコンテンツを生成し、カスタマイズし、及び／又は配布するためのインターフェイス３４０をユーザに与える。図３に示すように、インターフェイス３４０において「ホーム(Home)」ボタンが現在選択されている。
【００６４】
いくつかの実施形態では、メディアコンテンツ管理アプリケーションは、ユーザがメディアコンテンツの受け取りを選択することができる。例えば、ユーザには、複数のメディアコンテンツを有するインターフェイスが与えられる。ユーザによる選択に応じて、メディアコンテンツ管理アプリケーションは、メディアコンテンツのライブラリーからメディアコンテンツを検索し、メディアコンテンツをユーザに与える。コンテンツのライブラリーは、例えば、リスト、データベース、或いはユーザにコンテンツを与えるための他の適当なアプローチの形態で、ユーザに与えられる。或いは又、メディアコンテンツ管理アプリケーションは、メディアコンテンツを生成し及び／又はカスタマイズするための一又はそれ以上のセマンティック基準をユーザに与えてもよい。セグメント（例えば、オーディオの部分、ビデオの部分、バックグランドオーディオ、ナレーション、イメージ、等）は、コンテンツのライブラリーから検索され、そして編集／統合ソフトウェアパッケージ、編集／統合システムを使用してメディアコンテンツを生成するように統合されてもよいし、或いはユーザが編集／統合ソフトウェアパッケージ又は編集／統合システムを使用して、これを行なってもよい。ユーザは、コンテンツを購入する前に、又は選択及び生成プロセスの間若しくはその後に、コンテンツをプレビューすることができる。
【００６５】
図３に戻ると、インターフェイス３４０の「プレビュー(preview)」ボタンをユーザが選択するのに応じて、メディアコンテンツ管理アプリケーションは、生成画面４００（図４）をユーザに与える。いくつかの実施形態では、メディアコンテンツ管理アプリケーションは、キャンペーン（例えば、自動車の広告キャンペーン、政治家の広告キャンペーン、等）のリスト、又は生成されたメディアコンテンツのリストをユーザに与える。特定のキャンペーン又は特定のメディアコンテンツの選択に応じて、メディアコンテンツ管理アプリケーションは、セマンティック基準を使用してメディアコンテンツをカスタマイズするための画面４００をユーザに与える。
【００６６】
いくつかの実施形態では、メディアコンテンツ管理アプリケーションは、メディアコンテンツに関する一又はそれ以上のセマンティック基準（例えば、質問又はオプションの形態の）をユーザに与えることができる。セマンティック基準に対する応答を使用して、メディアコンテンツ管理アプリケーションは、セマンティック編集制御をユーザに与える。例えば、メディアコンテンツ管理アプリケーションは、性別、裕福さ、民族、広告スタイル、値引の形式、等に関する情報に対する一又はそれ以上の抽象的な質問をユーザに与える。各質問に対する応答に基づいて、メディアコンテンツ管理アプリケーションは、編集／統合ソフトウェアパッケージを使用して、どのメディアセグメントがその応答に関連するかを判定し、それに対応するメディアセグメントを検索し、及び／又はメディアコンテンツの一又はそれ以上のバージョンを統合することができる。
【００６７】
一実施例では、メディアコンテンツ管理アプリケーションは、「どんな値引か？」という質問をユーザに与える。メディアコンテンツで２０％オフの値引を伝えるべきであることをユーザが入力するのに応じて、メディアコンテンツ管理アプリケーションは、そのようなメッセージを伝えるメディアコンテンツを生成するに必要なルーチンを遂行する。例えば、メディアコンテンツ管理アプリケーションは、そのような応答を、２０％オフセールの値引に関するメディアセグメントに関連付けることができる（例えば、値引を記述するオーディオセグメント、値引を記述するビデオセグメント、値引と共に進むサウンドトラック、値引と共に表示される免責事項、どのようにメディアセグメントを順序付けるか、どのようにオーディオセグメントをビデオセグメントに結合するか、どのセグメントがオーバーラップするか、どのようにバックグランドオーディオトラックをビデオセグメントに結合するか、等）。メディアコンテンツ管理アプリケーションは、ユーザに対してメディアコンテンツのバージョンを構築する編集／統合ソフトウェアパッケージ、編集／統合システム、或いは編集／統合ソフトウェアパッケージ又は編集／統合システムのユーザへセマンティック基準を送信する。
【００６８】
図４に示すように、画面４００は、生成されるべきメディアコンテンツに関するセマンティック基準４２０のリストをユーザに与える。画面４００又は任意の他の適当なインターフェイスを使用して、メディアコンテンツ管理アプリケーションは、ユーザがメディアコンテンツの編集を管理し、そしてセマンティック基準に基づいてメディアコンテンツ（又はメディアコンテンツのバージョン）に関する判断を行えるようにする。セマンティック基準４２０は、例えば、広告のスタイルに関するオプション、事象に関するオプション、乗物の種類に関するオプション、乗物のモデルに関するオプション、値引に関するオプション、ターゲット視聴者の性別（例えば、男性又は女性）に関するオプション、ターゲット視聴者の裕福さ（例えば、＄７０，０００以上の収入）に関するオプション、ターゲット視聴者の民族（例えば、コーカサス人、アフリカ系アメリカ人、スペイン系、アジア系、等）に関するオプション、ターゲット視聴者の地理（例えば、東北、南、ヨーロッパ、アジア、等）に関するオプション、等々を含む。任意の他の適当な基準を設けてもよい。例えば、ターゲット視聴者の好き嫌い（例えば、視聴者はスポーツ関連コマーシャルが好き、視聴者は犬を伴う広告が好き、等）に関する基準を設けてもよい。
【００６９】
例えば、図４に示すように、メディアコンテンツ管理アプリケーションは、広告主のようなユーザに、セマンティック基準を有する質問に応答することを可能とすることができる。セマンティック基準（例えば、セマンティック基準４２０）に対する応答は、メディアコンテンツの一又はそれ以上のバージョンを生成するのに必要な機能を遂行するために、メディアコンテンツ管理アプリケーションにより使用される。例えば、意図された視聴者の性別が「男性」であることをユーザが指示するのに応じて、メディアコンテンツ管理アプリケーションは、このセマンティック基準を使用して、メディアコンテンツのバージョンを構築するのにどのメディアセグメントを使用することができるかを判定する。一実施例では、メディアコンテンツ管理アプリケーションは、セマンティック基準及び／又はメタデータ特性（例えば、男性）を、編集／統合ソフトウェアパッケージ、又は編集／統合ソフトウェアパッケージのユーザに与える。この編集／統合ソフトウェアパッケージを使用して、セマンティック基準及び／又はメタデータ特性に関するメディアセグメントを検索し、そしてメディアコンテンツの一又はそれ以上のバージョンを統合することができる。
【００７０】
プロ用編集／統合ソフトウェア（例えば、アビッド・テクノロジー・インクにより開発された編集ソフトウェア、アップル・コンピュータ・インクにより開発された「ファイナル・カット・プロ」、ビジブル・ワールドにより開発されたｉｎｔｅｌｌｉＳｐｏｔ又は他の統合ソフトウェア、等）は、ユーザが、ソフトウェアの編集ツールセット及びメディアコンテンツの詳細に精通し、例えば、編集ポイント、メディアセグメントのシーケンス、どのようにオーディオセグメントがビデオセグメントに結合されるか、どのようにバックグランドオーディオトラックがビデオセグメントに結合されるか、どのメディアセグメントがカスタマイズされ及び／又は交換されるか、及びメディアコンテンツに関係した任意の他の適当な詳細、に精通することを必要とする。更に、プロ用編集／統合ソフトウェアは、ユーザが、編集／統合ソフトウェアによりコールされたデータベース構造を知り、或いはどのメタデータがどのようにオーディオセグメント、ビデオセグメント、又は任意の他の適当なメディアセグメントに結合されたか知ることを必要とする。メディアコンテンツ管理アプリケーションは、これらの困難さを回避する。というのは、セマンティック制御又はセマンティック基準の形態のアブストラクションがユーザに与えられるからである。セマンティック基準に応じて、セマンティック基準は、これらプロ用編集／統合ソフトウェアパッケージの１つにより遂行される機能へ変換される。セマンティック基準を与えるのに応じて、メディアコンテンツ管理アプリケーションは、これらプロ用編集／統合ソフトウェアパッケージの一又はそれ以上を使用するか、或いはこれら編集／統合ソフトウェアパッケージの知識をもつ別のユーザへ情報を送信して、メタデータ特性に対応するメディアコンテンツの一又はそれ以上のバージョンを生成することができる。従って、メディアコンテンツ管理アプリケーションのユーザは、プロ用編集／統合ソフトウェアパッケージの知識、又はメディアコンテンツ（例えば、広告）をどのように統合するかの知識をもつ必要がない。更に、メディアコンテンツ管理アプリケーションのユーザは、プロ用編集／統合ソフトウェアパッケージによりアクセスされるデータベースの構造の知識、又はデータベースに記憶されたメディアセグメントにどのメタデータがどのように関連付けられるかの知識をもつ必要もない。
【００７１】
いくつかの実施形態では、メディアコンテンツ管理アプリケーションは、ユーザにより与えられるセマンティック基準を使用して、メディアコンテンツのバージョンの意図された視聴者についての追加の情報を得ることができる。例えば、ユーザは、意図された視聴者が郵便番号“１００２０”に住んでいることを図４の「地理(Geography)」フィールドに入力する。これに応じて、メディアコンテンツ管理アプリケーションは、ユーザが、郵便番号“１００２０”における意図された視聴者に関する他の情報を何ら知ることを必要としない。メディアコンテンツ管理アプリケーションは、別のエンティティ、データベース、又は任意の他の適当なソースから、意図された視聴者に対応するメタデータ特性を得ることができる。例えば、メディアコンテンツ管理アプリケーションは、入力された郵便番号“１００２０”から、意図された視聴者が６０％が男性、４０％が女性であり、８０％が＄１００，０００より高い収入レベルを有し、そして６０％がコーカサス人であることを抽出することができる。別の例では、メディアコンテンツ管理アプリケーションは、異なるソース（例えば、米国人口調査局ウェブサイト、市場人口統計学ウェブサイト、マーケティングデータベース、等）から情報を検索することができる。
【００７２】
いくつかの実施形態では、メディアコンテンツ管理アプリケーションは、ユーザに、あるセマンティック基準がメディアコンテンツを生成し又はカスタマイズするための変数であるかどうかを指示することを可能にする。図４に示すように、ユーザは、セマンティック基準４２０の少なくとも１つに対して“ＮＯ”を選択することができる。これに応じて、これらのセマンティック基準は、メディアコンテンツを生成又はカスタマイズする変数として考慮されない。例えば、ユーザが性別セマンティック基準に対して“ＮＯ”を選択するのに応じて、メディアコンテンツ管理アプリケーションは、特定の性別に向けられない（性別中性又は性別未知）デフォルトのオーディオ及び／又はビデオセグメントをデータベースから選択することができる。
【００７３】
従って、ユーザがセマンティック基準４２０の一又はそれ以上に返答するのに応じて、メディアコンテンツ管理アプリケーションは、ユーザがプレビューするメディアコンテンツを統合することができる。プレビューボタン４４０を選択するのに応じて、メディアコンテンツ管理アプリケーションは、メディアコンテンツのバージョンをウインドウ４６０に表示することができる。セマンティック基準を使用して、メディアコンテンツ管理アプリケーションは、ユーザに、配信のためのメディアコンテンツの完成バージョンをプレビューし、注文することを可能とする。
【００７４】
メディアセグメントは、例えば、グラフィック（例えば、テキスト、イメージ、バックグランドフィラー、視覚オブジェクト、視覚効果、等）、ビデオセグメント、オーディオセグメント（例えば、合成音声、音楽、バックグランドサウンド、等）、アニメーション、等を含むことに注意されたい。メディアコンテンツの一又はそれ以上のバージョンを統合するのに使用されるこれらのメディアセグメントは、データベースから検索できるが、ユーザ又はメディアコンテンツ管理アプリケーションは、メディアコンテンツのバージョンを統合するデータベースを有する必要がないことにも注意されたい。メディアコンテンツ管理アプリケーションは、適当なメディアセグメント（例えば、オーディオの部分、ビデオの部分、バックグランドオーディオ、ナレーション、イメージ、アニメーション、グラフィック、等）を有するメディアコンテンツのバージョンを発生する編集／統合ソフトウェアパッケージを使用することによって、この困難を回避し、特殊目的データベース（例えば、ユーザが要望していないメディアセグメントを含む複数のメディアセグメントを有するオブジェクト指向のデータベース）を有し、及び／又は維持する必要なく、メディアコンテンツのバージョンをユーザに提供する。セマンティック基準及び／又はメタデータ特性に関係するメディアセグメントは、編集／統合ソフトウェアパッケージにより使用されて、メディアコンテンツのバージョンを生成する。
【００７５】
メディアセグメント及び他のエレメントは、一又はそれ以上のセマンティック基準との相対的又は絶対的な適合に関して関連づけられたメタデータを有することにも注意されたい。例えば、価格の変化に応じて、メディアコンテンツ管理アプリケーション又は編集／統合ソフトウェアパッケージは、一又はそれ以上の異なる対応するビデオセグメント一又はそれ以上及び対応するオーディオセグメント一又はそれ以上を、プレースメント、オーディオとビデオの同期、及びバックグランド音楽トラックの変化に対するルールで検索することができる。別の例では、各メディアセグメントは、それに関連付けられた一又はそれ以上のメタデータタグを有し、編集／統合ソフトウェアパッケージは、対応するメタデータ特性に関するセマンティック基準を受け取るのに応じて、対応するメタデータ特性を有するメディアセグメントを検索することができる。セマンティック基準は、メディアコンテンツがどのようなシーケンスになるか、一次オーディオセグメント及びそれがどのようにビデオセグメントに結合されるか、バックグランドオーディオトラック及びそれがどのようにビデオセグメントに結合されるか、等々に影響を及ぼすことができる。
【００７６】
更に、メディアコンテンツ管理アプリケーションは、編集／統合ソフトウェアパッケージ又は任意の他の適当なソフトウェアを使用して、ユーザがプレビューするメディアコンテンツの複数のバージョンを統合することができ、その各々は、一又はそれ以上のセマンティック基準４２０に対するユーザの応答に基づくものであることに注意されたい。ユーザは、配布用のメディアコンテンツの一又はそれ以上一又はそれ以上をプレビューし、選択することができる。別の実施形態では、メディアコンテンツ管理アプリケーションは、ユーザに、追加のオプション（例えば、オプション４２０）を選択して、メディアコンテンツの一又はそれ以上のバージョンをより細かく調整することを可能とする。
【００７７】
或いは又、いくつかの実施形態では、メディアコンテンツ管理アプリケーションは、ユーザにより選択されてメディアコンテンツのカスタマイズされたバージョンを構築するためにセマンティック基準に対応する種々のメディアセグメントをユーザに与えることができる。例えば、メディアコンテンツ管理アプリケーションは、各々が異なるメディアセグメントを有する種々のカスタマイズされたメディアコンテンツをユーザに与え、そしてユーザは、カスタマイズされたメディアコンテンツの少なくとも１つを選択することができる。別の例では、メディアコンテンツ管理アプリケーションは、メディアセグメントのリスト又は表示をユーザに与え、ユーザは、メディアセグメントの一又はそれ以上を、得られるカスタマイズされたメディアコンテンツへ組み入れるために選択することができる。
【００７８】
図５及び６は、本発明のいくつかの実施形態により提供される例示的なメッセージテンプレート５００及びデータベースのコンテンツ６００を示す。メッセージテンプレート５００は、ターゲット視聴者のメディアコンテンツを生成及び統合するためのフレームワークを示す。メッセージテンプレートは、挿入可能なシーケンス（例えば、挿入可能なオーディオ及び／又はビデオメディアセグメント）及び／又は予め定められたシーケンスのようなシーケンス５２０を含むことができる。例えば、メディアコンテンツの異なるバージョン間で変化することのない予め定められたシーケンスを、メッセージテンプレート５００に挿入することができる。更に、メッセージテンプレート５００は、メディアコンテンツを生成するためのメディアセグメント及び他のリソースを選択して合成するルールを含むことができる。
【００７９】
本発明のメッセージテンプレート５００は、メディアセグメントの直交統合(orthogonal assembling)に限定されないことに注意されたい。メディアコンテンツの一又はそれ以上のエレメントは、種々のアプローチを使用してこれを制御し合成して、カスタマイズされたメディアコンテンツを形成することができる。例えば、地理的な風景のようなバックグランドシーンが１つのデータベースから選択され、そしてメディアコンテンツの再生全体を通して共通のバックグランドとして使用される一方、挿入可能なビデオセグメントが、ある位置においてメディアコンテンツに追加される。
【００８０】
メッセージテンプレートの設計は、キャンペーンからの情報、デフォルトメッセージ（例えば、カスタマイズされていないメディアコンテンツ）からの情報、等を使用して決定することができる。
【００８１】
ユーザからの指示に応じて、メディアコンテンツ管理アプリケーションは、特定の市場、会社又は個人のためのメディアコンテンツを生成することができる。例えば、メディアコンテンツ管理アプリケーションは、編集／統合ソフトウェアパッケージを使用して、一又はそれ以上のデータベースから特定のメディアセグメント及び／又はメディア情報を得て、視聴者に配布されるべきメディアコンテンツを統合することができる。メディアコンテンツ管理アプリケーション又は編集／統合ソフトウェアパッケージによりアクセスされるデータベースは、広告情報、オーディオセグメント、ビデオセグメント、シーケンス、任意の他の適当なメディアセグメント、及びメディアコンテンツの生成に使用される任意の他の適当な情報を記憶するための任意の適当な記憶装置でよいことに注意されたい。データベースは、メディアコンテンツ管理アプリケーション又は編集／統合ソフトウェアパッケージによりアクセスされる特殊なメディアデータベースとすることができる。データベースは、メディアコンテンツ管理アプリケーション、編集／統合ソフトウェアパッケージ、ケーブルテレビ事業者、ヘッドエンド、ネットワークプロバイダー、及び／又は任意の他の適当なエンティティに対して解放される(untethered)ことができる。
【００８２】
又、これらのシーケンス及びメディアセグメントは、このシーケンス及びメディアセグメントをオンザフライで制作及び統合するために「リアルタイム」又は「ほぼリアルタイム」でこれらのシーケンス及びメディアセグメントを配信できる大容量、高速度のサーバー、データベース、又は任意の他の適当な記憶装置に記憶できることにも注意されたい。
【００８３】
ユーザ情報に基づいてカスタマイズされたメッセージを生成するための編集／統合ソフトウェアパッケージ及び特徴は、例えば、２０００年４月７日に出願された自己の、本願と同一譲受人に譲渡された米国特許出願第０９／５４５，５２４号に説明されており、その内容全体を引用によりここに組み入れる。
【００８４】
いくつかの実施形態では、メディアコンテンツ管理アプリケーションは、セマンティック基準及び／又はメタデータ特性を使用するか又はアタッチして、メディアコンテンツのバージョンをより細かく調整、又はカスタマイズすることができる。
【００８５】
図７を参照すれば、メディアコンテンツのアッセンブルされたバージョンをユーザがプレビューするのに応じて、メディアコンテンツ管理アプリケーションは、本発明のいくつかの実施形態により提供されるプランニング画面７００をユーザに与える。図示されるように、インターフェイス３４０において、「プラン(plan)」ボタンが現在選択されている。
【００８６】
いくつかの実施形態では、メディアコンテンツ管理アプリケーションは、選択されたオプションに基づくメディアコンテンツのバージョンをプレビューし、メディアコンテンツを編集及び／又はカスタマイズし、そして制作されるべきメディアコンテンツを承認する機会をユーザに与えることができる。いくつかの実施形態では、メディアコンテンツ管理アプリケーションは、承認されたメディアコンテンツに対する製品及び配信費用を動的に計算する。メディアコンテンツ管理アプリケーションは、費用に基づいて、ユーザに代替物を与え、及び／又はメディアコンテンツのバージョンを最適化することができる。例えば、メディアコンテンツのあるバージョンは、俳優を使用したビデオクリップを与える一方、メディアコンテンツの別のバージョンは、漫画のキャラクタを使用したビデオクリップを与える。メディアコンテンツの各バージョンには、異なる費用が関連付けられる（例えば、俳優を雇う費用、又はビデオクリップに関連した撮影中の出演者に対する映画俳優組合との契約のために）。
【００８７】
図７に示すように、メディアコンテンツ管理アプリケーションは、ユーザにパラメータ７２０及び７２５を与える。パラメータ７２０及び７２５は、ユーザに、追加のセマンティック基準に基づいてメディアコンテンツのバージョンを更にカスタマイズすることを可能とする。ユーザ又はメディアコンテンツ管理アプリケーションにより選択されたパラメータに基づいて、ある追加のセマンティック基準をユーザに与えて、メディアコンテンツのバージョンをカスタマイズすることができる。例えば、図５において、パラメータ「メディアプラン(Media Plan)」及び「ゾーンデータ(Zone Data)」が提供されている。「ゾーンデータ」は、メディアコンテンツを送信すべき地域に対する人口統計値に関するものとすることができる。従って、パラメータ「ゾーンデータ」は、人口統計学的オプション、例えば、性別オプション、収入オプション、民族オプション、等をユーザに提供することができる。
【００８８】
いくつかの実施形態では、メディアコンテンツ管理アプリケーションは、ユーザに、パラメータ（例えば、パラメータ７３０及び７３５）を他のソースからインポートすることを可能とする。例えば、ユーザは、「ゾーンデータ」パラメータ７３５を別のキャンペーンからインポートすることができる。別の実施例では、「ゾーンデータ」パラメータ７３５をインポートすることは、異なるソース（例えば、米国人口調査局ウェブサイト、市場人口統計ウェブサイト、マーケッティングデータベース、等）から人口統計情報を検索することを含む。
【００８９】
図７に示すように、メディアコンテンツ管理アプリケーションは、各プロバイダーの番組７４０のリストをユーザに与える（例えば、放送番組、ケーブルゾーン、ケーブル番組、等）。プロバイダー又は番組の種類を選択するのに応じて、メディアコンテンツ管理アプリケーションは、番組７４０のリストを表示することができる。リストされた各番組７５０は、番組情報、例えば、チャンネル名、放送時間、番組タイトル、番組の種類、及び／又は任意の他の適当な情報を含むことができる。ユーザは、例えば、チェックボックス７６５を選択することにより、メディアコンテンツのカスタマイズされたバージョンを選択し、番組７５０に関連付けることができる。メディアコンテンツが承認されると、メディアコンテンツがアッセンブルされ、制作され、そして選択された番組７５０の間での再生のために適当なエンティティへ配布される。
【００９０】
メディアコンテンツを配布するための各選択された番組に対して、メディアコンテンツ管理アプリケーションは、関連費用を動的に計算し、そして関連費用を費用インターフェイス７７０に表示する。費用は、一又はそれ以上のメディアコンテンツ一又はそれ以上を生成し、そしてメディアコンテンツを適当なエンティティに配信するための見積もりとすることができる。費用は、例えば、メディア費用、制作費用、配信費用、等を含む。費用インターフェイス７７０に与えられる費用は、ユーザに、メディアコンテンツ管理アプリケーションを使用して、メディアコンテンツのバージョンの費用を最適化することを可能とする。例えば、メディアコンテンツ管理アプリケーションは、メディアコンテンツのバージョンを生成し配信するのに関連した異なる費用の知識をもたずに、メディアコンテンツのバージョンの費用を最適化する機会をユーザに与える（例えば、ユーザは、メディアコンテンツのバージョンをＭＰＥＧ−２又はＭＰＥＧ−４へ与える費用を知る必要がなく、又、ユーザは、映画俳優組合との契約条件、又は特定のタレントとの最優先の補償契約について知る必要がなく、更に、ユーザは、メディアコンテンツのバージョンを生成するための制作含意について知る必要がない、等々）。
【００９１】
いくつかの実施形態では、メディアコンテンツ管理アプリケーションは、ユーザに、一又はそれ以上のセマンティック基準（例えば、質問又はオプションの形態の）を使用して、特定の番組に対してメディアコンテンツのバージョンを更にカスタマイズすることを可能とする。セマンティック基準に対する応答を使用して、メディアコンテンツ管理アプリケーションは、追加のセマンティック編集制御をユーザに与える。例えば、メディアコンテンツ管理アプリケーションは、性別、裕福さ、民族、地理、広告スタイル、値引の形式、等に関する情報について一又はそれ以上の抽象的な質問をユーザに与えることができる。各質問に対する応答に基づいて、メディアコンテンツ管理アプリケーションは、セマンティック基準を、編集／統合ソフトウェアパッケージ、編集／統合システム、又はこれらの編集／統合ソフトウェアパッケージ若しくは編集／統合システムのユーザへ送信し、メディアコンテンツの一又はそれ以上のバージョンをユーザのために更に調整し、及び／又は構築することができる。図７のプレビューボタン７６０の１つを選択することにより、メディアコンテンツ管理アプリケーションは、本発明のいくつかの実施形態による例示的な承認画面である図８の８００、図９の９００、及び図１０の１０００をユーザに与えることができる。
【００９２】
画面８００、９００及び１０００に示すように、メディアコンテンツ管理アプリケーションは、メディアコンテンツのバージョンを調整するために、追加のセマンティック基準（例えば、図８ないし１０に示された統計値に関するオプション及び情報、人口統計情報、等）をユーザに与えることができる。例えば、図８の承認画面８００において、「放送番組」のカテゴリー８１０、並びに性別、収入及び民族に関するセマンティック基準８２０がユーザに与えられる。図示されたように、メディアコンテンツ管理アプリケーションは、追加のセマンティック基準をユーザに与えることができる。例えば、メディアコンテンツ管理アプリケーションは、収入が＄７０，０００未満のコーカサス人の男性がメディアコンテンツの意図された視聴者であることをユーザに知らせる。メディアコンテンツ管理アプリケーションは、ユーザがメディアコンテンツのバージョンをどのように更にカスタマイズすべきか決定するための人口統計情報を得ることができる。別の例では、メディアコンテンツ管理アプリケーションは、デフォルトで人口統計情報に基づいて選択するものとすることができる。メディアコンテンツ管理アプリケーションは、ユーザがメディアコンテンツを提供している地域が主としてコーカサス人の男性（例えば、図８に示すように、６１％男性及び８１％コーカサス人）であると判定すると、これらのオプションを自動的にデフォルトとすることができる。
【００９３】
画面８００、９００、１０００又は任意の他の適当なインターフェイスを使用して、メディアコンテンツ管理アプリケーションは、ユーザに、セマンティック基準に基づいて、メディアコンテンツの編集を管理し、メディアコンテンツ（又はメディアコンテンツのバージョン）に関する判断を行うことを可能とする。セマンティック基準は、例えば、広告のスタイルに関するオプション、事象に関するオプション、乗物の種類に関するオプション、乗物のモデルに関するオプション、値引に関するオプション、ターゲット視聴者の性別（例えば、男性又は女性）に関するオプション、ターゲット視聴者の裕福さ（例えば、＄７０，０００以上の収入）に関するオプション、ターゲット視聴者の民族（例えば、コーカサス人、アフリカ系アメリカ人、スペイン系、アジア系、等）に関するオプション、ターゲット視聴者の地理（例えば、東北、南、ヨーロッパ、アジア、等）に関するオプション、等々を含むことができる。又、任意の他の適当な基準を設けてもよい。例えば、ターゲット視聴者の好き嫌い（例えば、視聴者はスポーツ関連コマーシャルが好き、視聴者は犬を伴う広告が好き、等）に関する基準を設けてもよい。
【００９４】
この場合も、プロ用編集／統合ソフトウェア（例えば、アビッド・テクノロジー・インクにより開発された編集ソフトウェア、アップル・コンピュータ・インクにより開発された「ファイナル・カット・プロ」、ビジブル・ワールドにより開発されたｉｎｔｅｌｌｉＳｐｏｔ又は他の統合ソフトウェア、等）は、ユーザが、ソフトウェアパッケージの編集ツールセット及びメディアコンテンツの詳細に精通し、例えば、編集ポイント、メディアセグメントのシーケンス、どのようにオーディオセグメントがビデオセグメントに結合されるか、どのようにバックグランドオーディオトラックがビデオセグメントに結合されるか、どのメディアセグメントがカスタマイズされ及び／又は交換されるか、及びメディアコンテンツに関係したあらゆる他の適当な詳細、に精通することを必要とする。更に、プロ用編集／統合ソフトウェアは、ユーザが、編集／統合ソフトウェアによりコールされたデータベース構造を知り、又はどのメタデータがどのようにオーディオセグメント、ビデオセグメント、又は任意の他の適当なメディアセグメントに結合されたか知ることを必要とする。セマンティック制御又はセマンティック基準の形態の抽象概念がユーザに与えられるので、メディアコンテンツ管理アプリケーションは、この困難さを回避することに注意されたい。セマンティック基準に応じて、セマンティック基準は、これらのプロ用編集／統合ソフトウェアパッケージの１つにより遂行される機能へ変換される。セマンティック基準を与えるのに応じて、メディアコンテンツ管理アプリケーションは、これらのプロ用編集／統合ソフトウェアパッケージの一又はそれ以上を使用するか、或いはこれらの編集／統合ソフトウェアパッケージの知識をもつ別のユーザへ情報を送信して、メタデータ特性に対応するメディアコンテンツの一又はそれ以上のバージョンを生成及び／又は調整することができる。従って、メディアコンテンツ管理アプリケーションのユーザは、プロ用編集／統合ソフトウェアパッケージの知識、又はメディアコンテンツ（例えば、広告）をどのように統合するかの知識をもつ必要がない。更に、メディアコンテンツ管理アプリケーションのユーザは、プロ用編集／統合ソフトウェアパッケージによりアクセスされるデータベースの構造の知識、又はデータベースに記憶されたメディアセグメントにどのメタデータがどのように関連づけられるかの知識をもつ必要もない。
【００９５】
いくつかの実施形態では、メディアコンテンツ管理アプリケーションは、このようなセマンティック基準を使用して、ユーザがメディアコンテンツのターゲットを適切に定めたことを判定する。例えば、メディアコンテンツ管理アプリケーションは、収入レベルが＄７０，０００未満のコーカサス人の男性にメディアコンテンツが最も適していることを判定する。これに応じて、メディアコンテンツ管理アプリケーションは、この情報を、メディアコンテンツのバージョンをカスタマイズするためにユーザが選択した他のセマンティック基準と共に評価する(place)ことができる。
【００９６】
いくつかの実施形態では、メディアコンテンツ管理アプリケーションは、このような情報を使用して、ユーザが選択したオプションを自動的に修正することができる。例えば、人口統計情報、或いは任意の他の適当なターゲット情報又はマーケッティング情報に基づいて、メディアコンテンツ管理アプリケーションは、ユーザが選択したオプションを調整して、意図された視聴者へのターゲティングを改善することができる。
【００９７】
図８に戻ると、追加のセマンティック基準の一又はそれ以上にユーザが返答するのに応じて、メディアコンテンツ管理アプリケーションは、追加のセマンティック基準８２０を使用して、ユーザがプレビューするメディアコンテンツのバージョンを調整しそしてカスタマイズする。プレビューボタン８３０のようなボタン又はインターフェースを使用して、ユーザは、プレビューウインドウ８４０においてメディアコンテンツのカスタマイズされたバージョンをプレビューすることができる。メディアコンテンツのカスタマイズされたバージョンを承認するために、メディアコンテンツ管理アプリケーションは、承認ボタン８５０をユーザに与える。
【００９８】
図８ないし１０における追加のセマンティック基準８２０、９２０及び１０２０は、任意の適当な基準とすることができることに注意されたい。いくつかの実施形態では、放送番組のためのセマンティック基準８２０は、ケーブルゾーンのためのセマンティック基準９２０とは異なるものとすることができる。メディアコンテンツのバージョンをカスタマイズするのに適した任意のセマンティック基準が、メディアコンテンツ管理アプリケーションによって与えられることができる。
【００９９】
メディアコンテンツの一又はそれ以上のバージョンが承認されるのに応じて、メディアコンテンツ管理アプリケーションは、図１１ないし１４に示す注文画面をユーザに与える。
【０１００】
図１１を参照すれば、メディアコンテンツ管理アプリケーションは、メディアコンテンツの一又はそれ以上のバージョンを生成するための制作費用を動的に計算することができる。制作費用は、例えば、メディアコンテンツのバージョンに使用されたメディアセグメント、メディアコンテンツを統合し作成するのに必要な時間等に基づくものとすることができる。図１１に示すように、メディアコンテンツ管理アプリケーションは、メディアコンテンツのこれらのカスタマイズされたバージョン制作の見積もりをユーザに与え、そしてその見積もりを、メディアコンテンツ管理アプリケーションを使用せずに、メディアコンテンツのカスタマイズされたバージョン作成の費用の見積もり（例えば、広告代理店を雇ってメディアコンテンツの複数のバージョンを制作する）と比較することができる。これらの制作費用の見積もりは、インターフェイス１１２０に表示される。
【０１０１】
いくつかの実施形態では、メディアコンテンツ管理アプリケーションは、メディアコンテンツのバージョンを費用により最適化する機会をユーザに与えることができる。図１１ないし１４に示された注文画面を使用して、メディアコンテンツ管理アプリケーションは、メディアコンテンツのバージョンに他のメタデータを付することができる。例えば、注文画面は、メディアコンテンツの複数のバージョンをユーザに与えると共に、各バージョンに関連したメタデータをユーザに与えることができる。メディアコンテンツの１つのバージョンは、特定の俳優がメディアコンテンツにおいてあるシーンを演じることをユーザに知らせることができる。このバージョンは、その俳優を雇うための関連費用（例えば、映画俳優組合との契約条件、又は特定のタレントとの最優先の補償契約）と、その特定の俳優に関係した他の費用とを有する。メディアコンテンツ管理アプリケーションは、ユーザがこれらの契約や関連費用に精通する必要なく、これらの費用の見積もりをユーザに与えることに注意されたい。更に、メディアコンテンツ管理アプリケーションは、ユーザに、メディアコンテンツのバージョンを、その関連費用に基づいて選択することを可能とすることができる。これに応じて、メディアコンテンツ管理アプリケーションは、費用情報、セマンティック基準及び／又は関連メタデータを編集／統合ソフトウェアパッケージへ送信し、メディアコンテンツのバージョンを統合することができる。
【０１０２】
いくつかの実施形態では、メディアコンテンツ管理アプリケーションは、メディアコンテンツの各バージョンを制作するための見積もりがユーザに与えられるように、制作費用を項目別に示すことができるし、メディアコンテンツ管理アプリケーションは、ユーザに、項目別に示された費用の一又はそれ以上を選択することを可能とすることができる。これらの選択された費用は、編集／統合ソフトウェアパッケージへ送信され、そこで、選択された費用が換算され(translated)、使用され、メディアコンテンツのバージョンを統合することができる。例えば、ユーザが撮影中の出演者の費用見積もりを承認するのに応じて、編集／統合ソフトウェアパッケージは、その承認された費用見積もりを解釈し、撮影中の出演者を有するメディアセグメント（例えば、撮影中の出演者を含むビデオクリップ）を検索し、そしてメディアコンテンツのバージョンを統合することができる。
【０１０３】
図１２に示すように、メディアコンテンツ管理アプリケーションは、メディアコンテンツの一又はそれ以上のバージョンを生成するのに関連したタレント費用の見積もりを生成することができる。タレント費用は、撮影中の出演者、撮影外の出演者、エキストラ、ナレーションの演技者、音楽家、等を雇うのに関連した費用を含むものとすることができる。これらのタレント費用は、例えば、映画俳優組合との契約条件、又は特定のタレントとの契約に基づいてもよい。これらのタレント費用は、インターフェイス１２１０に表示される。
【０１０４】
いくつかの実施形態では、メディアコンテンツ管理アプリケーションは、メディアコンテンツのバージョンを送信するための配信オプションを選択し及び／又は最適化する機会をユーザに与えることができる。即ち、メディアコンテンツのバージョンの配信に関連した費用を認識する必要なく、メディアコンテンツ管理アプリケーションは、ユーザに、メディアコンテンツのバージョンに対する媒体、メディアコンテンツのバージョンに対する一又はそれ以上の配信ポイント、等を選択することを可能とする。
【０１０５】
図１３に示すように、メディアコンテンツ管理アプリケーションは、ユーザに配信オプションを選択することを可能とすることができる。メディアコンテンツ管理アプリケーションは、ユーザに、一又はそれ以上の配信ポイントから選択することを可能とすることができる。これらの配信ポイントは、例えば、メディアコンテンツを配布するための、特定の市場（例えば、北東部、アトランタ、シカゴ、等）、放送局及び系列局（例えば、ＫＣＮＣ（ＣＢＳ）デンバー、ＷＡＢＣ（ＡＢＣ）ニューヨーク、等）、企業、ケーブル相互接続、個人の種類（例えば、メーリングリストを経て）、或いは実際の個人を含むものとすることができる。
【０１０６】
いくつかの実施形態では、メディアコンテンツ管理アプリケーションは、どの配信ポイントがメディアコンテンツのバージョンを受け取るべきか推奨する。例えば、メディアコンテンツ管理アプリケーションは、メディアコンテンツに対して選択されたターゲット情報に対応する人口統計情報を有する配信ポイントのリストを与えることができる。別の例では、メディアコンテンツ管理アプリケーションは、以前に入力されたセマンティック基準を使用して、配信ポイントの最適化されたリストを生成することができる。
【０１０７】
いくつかの実施形態では、メディアコンテンツ管理アプリケーションは、以前に入力されたセマンティック基準を使用して配信ポイントのリストを生成することができ（各配信ポイントにはメタデータが関連づけられる）、ここで、リストされた配信ポイントからのメタデータは、以前に入力されたセマンティック基準に関連したメタデータ特性に一致するものである。例えば、メディアコンテンツ管理アプリケーションは、以前に入力されたセマンティック基準からメタデータ特性を抽出することができる。メタデータ特性は、メディアコンテンツ管理アプリケーションにより使用され、利用可能な配信ポイントのリストを選別するのに使用することができる（例えば、ＷＡＢＣニューヨーク又はニューヨークにおける全ての配信ポイントは、男性が５０％を越えるというメタデータ特性を有し、そして大半の世帯は、収入が＄１００，０００を越える）。
【０１０８】
配信ポイントを選択するのに加えて、メディアコンテンツ管理アプリケーションは、ユーザに、配信ポイントへメディアコンテンツを配信すべきフォーマットを選択することを可能とすることができる。これらのフォーマットは、例えば、ＭＰＥＧ−２、ＭＰＥＧ−４、ビデオテープ（ＶＨＳ）、ＤＶＤ、標準解像度メディア（ＤＶ、ＤＶＣＰＲＯ、ＤＶＣＡＭ、非圧縮ＳＤ、等）、高解像度メディア（例えば、ＨＤＶ、ＸＤＣＡＭ  ＨＤ、ＤＶＣＰＲＯ  ＨＤ、非圧縮ＨＤ、等）、他のメディアフォーマット、他のメディア解像度、等々を含む。例えば、放送局ＫＣＮＣ（ＣＢＳ）デンバーは、ビデオテープの形態のメディアコンテンツを受け取ることができ、一方、放送局ＷＡＢＣ（ＡＢＣ）ニューヨークは、サーバー又はデータベースからメディアコンテンツをダウンロードすることができる。別の例では、放送局ＫＣＮＣ（ＣＢＳ）デンバーは、標準解像度でメディアコンテンツのバージョンを受け取り、一方、放送局ＷＡＢＣ（ＡＢＣ）ニューヨークは、高解像度及び標準解像度でメディアコンテンツのバージョンを受け取ることができる。
【０１０９】
いくつかの実施形態では、メディアコンテンツ管理アプリケーションは、ユーザの選択を最適化することができる。例えば、メディアコンテンツ管理アプリケーションは、メディアフォーマットの好み、要求、及びユーザがメディアコンテンツのバージョンを受信するために選択した放送局に関する他の情報を判定することができる。メディアコンテンツ管理アプリケーションは、メディアコンテンツのバージョンを標準解像度及び高解像度の両方で受け取ることをＷＡＢＣ（ＡＢＣ）ニューヨークが要求することを判定することができる。又、メディアコンテンツ管理アプリケーションは、メディアコンテンツのバージョンをＭＰＥＧ−２フォーマットで供給することをＷＡＢＣ（ＡＢＣ）ニューヨークが好むことも判定することができる。又、メディアコンテンツ管理アプリケーションは、メディアコンテンツのビデオテープを特定の宛先に送ることをＷＡＢＣ（ＡＢＣ）ニューヨークが要求することも判定する。これらの判定に応じて、メディアコンテンツ管理アプリケーションは、特定の配信ポイントに対してユーザが利用できる選択（例えば、標準解像度及びビデオテープのみ）を予め選択することができる。或いは又、メディアコンテンツ管理アプリケーションは、配信ポイントの要求基準内でないオプションをユーザが選択するのを禁止してもよい（例えば、ユーザは、特定の配信ポイントが高解像度のメディアコンテンツしか受け容れないので標準解像度を選択できない）。
【０１１０】
従って、メディアコンテンツ管理アプリケーションは、ユーザが特定の配信ポイントの要求基準及び／又は好みについて知らねばならない状態で、メディアコンテンツのバージョンを配布するための多数のオプションをユーザに与える。
【０１１１】
メディアコンテンツ及び配信ポイントがユーザにより選択されると、メディアコンテンツ管理アプリケーションは、確認画面１２００をユーザに与える。この確認画面は、メディアコンテンツのカスタマイズされたバージョンを統合し、制作し、そしてその選択された配信ポイントへ配信することを注文する前に、ユーザがキャンペーンプラン、カスタマイズされたオプション、配信仕様、及び他の情報を検討することを要求することができる（確認エリア１４１０）。又、ユーザには、メディアコンテンツのカスタマイズされたバージョンをアッセンブルし、制作し、そして配信するのに関連したメディア費用、制作費用、配信費用、及び合計費用の見積もりを表示する合計費用見積もりエリア１４２０も与えられることができる。「加工注文(Process Order)」ボタンを選択すると、注文が発せられる。
【０１１２】
メディアコンテンツ管理アプリケーションは、意図された視聴者へ配信する準備のできた種々のメディアコンテンツを生成し、又は意図された視聴者へ配信する準備のできた種々のメディアコンテンツから選択を行なう能力をユーザに与える。
【０１１３】
以上に述べたように、本発明のメディアコンテンツ管理アプリケーションは、ユーザに、セマンティック基準を使用してメディアコンテンツを生成し、カスタマイズし、及び／又は配布することを可能とすることができる。当業者であれば、標準アルゴリズムをどのように使用して、本発明のプロセスを、本出願において与えられた情報に基づいて実施するか、分るであろう。
【０１１４】
本発明は、ここに述べた、又は図面に例示した構造の細部や構成要素の配列に限定されないことを理解されたい。本発明は、他の実施形態も考えられ、又、種々の仕方で実施することもできる。又、ここで使用する表現及び用語は、説明のためのものであり、これに限定されないことを理解されたい。
【０１１５】
当業者であれば、本開示の基礎となる概念は、本発明の種々の目的を達成するための他の構造、方法、及びシステムを設計する基礎として容易に利用できることが明らかであろう。それ故、本発明の精神及び範囲を逸脱しない限り、このような同等の構造が特許請求の範囲に包含されるとみなすことが重要である。
【０１１６】
本発明は、その実施形態について説明したが、本開示は、一例としてなされたものに過ぎず、本発明の精神及び範囲から逸脱せずに本発明の実施の細部に多数の変更がなされることができることを理解されたい。
【図１】
0005908435.tif 000002
【図２】
0005908435.tif 000003
【図３】
0005908435.tif 000004
【図４】
0005908435.tif 000005
【図５】
0005908435.tif 000006
【図６】
0005908435.tif 000007
【図７】
0005908435.tif 000008
【図８】
0005908435.tif 000009
【図９】
0005908435.tif 000010
【図１０】
0005908435.tif 000011
【図１１】
0005908435.tif 000012
【図１２】
0005908435.tif 000013
【図１３】
0005908435.tif 000014
【図１４】
0005908435.tif 000015